(57)【要約】【課題】映像表示装置用電源回路の電力効率の向上と小型化とをともに実現する。【解決手段】主電源８１と副電源８２とを有し、主電源８１は、第１の二次巻線Ｌ８１２と第２の二次巻線Ｌ８１３とを有する主電源用スイッチングトランスＴ８１と、第１の二次巻線Ｌ８１２の電圧を整流する第１の整流部８１２と、第１の整流部８１２の出力電圧が一定となるように制御する主電源用スイッチング制御部Ｓ８１とを備え、副電源８２は、第３の二次巻線Ｌ８２２と第４の二次巻線Ｌ８２３とを有する副電源用スイッチングトランスＴ８２と、第２の二次巻線Ｌ８１３の電圧と第３の二次巻線Ｌ８２２の電圧との大きいほうの電圧を整流する第２の整流部８２２と、第４の二次巻線Ｌ８２３の電圧を整流して第２の整流部８２２の出力電圧に重畳する第３の整流部８２３と、第３の整流部８２３の出力電圧が一定となるように制御する副電源用スイッチング制御部Ｓ８２とを備えた。【選択図】図５
2012022167.tif 000002
【特許請求の範囲】
【請求項１】
映像表示時に動作する主電源と、機能待機時および映像表示時に動作する副電源とを有する映像表示装置用電源回路であって、
前記主電源は、第１の二次巻線と第２の二次巻線とを有する主電源用スイッチングトランスと、前記第１の二次巻線に発生する電圧を整流する第１の整流部と、前記第１の整流部から出力される電圧が一定となるように前記主電源用スイッチングトランスの一次巻線の電流を制御する主電源用スイッチング制御部とを備え、
前記副電源は、第３の二次巻線と第４の二次巻線とを有する副電源用スイッチングトランスと、前記第２の二次巻線に発生する電圧と前記第３の二次巻線に発生する電圧との大きいほうの電圧を整流する第２の整流部と、前記第４の二次巻線に発生する電圧を整流して前記第２の整流部から出力される電圧に重畳する第３の整流部と、前記第３の整流部から出力される電圧が一定となるように前記副電源用スイッチングトランスの一次巻線の電流を制御する副電源用スイッチング制御部とを備えたことを特徴とする映像表示装置用電源回路。
【請求項２】
電波信号を受信し映像信号および音声信号を出力するＡＶ信号供給部と、前記映像信号に基づき映像を表示する映像表示部と、前記音声信号に基づき音声を出力する音声出力部と、前記ＡＶ信号供給部と前記映像表示部と前記音声出力部とへの電力供給を制御する電力制御部と、前記電力制御部により電力供給を制御される主電源と、前記電力制御部に電力を供給する副電源とを備えたプラズマディスプレイ装置であって、
前記主電源は、第１の二次巻線と第２の二次巻線とを有する主電源用スイッチングトランスと、前記第１の二次巻線に発生する電圧を整流する第１の整流部と、前記第１の整流部から出力される電圧が一定となるように前記主電源用スイッチングトランスの一次巻線の電流を制御する主電源用スイッチング制御部とを備え、
前記副電源は、第３の二次巻線と第４の二次巻線とを有する副電源用スイッチングトランスと、前記第２の二次巻線に発生する電圧と前記第３の二次巻線に発生する電圧との大きいほうの電圧を整流する第２の整流部と、前記第４の二次巻線に発生する電圧を整流して前記第２の整流部から出力される電圧に重畳する第３の整流部と、前記第４の整流部から出力される電圧が一定となるように前記副電源用スイッチングトランスの一次巻線の電流を制御する副電源用スイッチング制御部とを備え、
映像表示時には、前記第１の整流部の出力を前記映像表示部に供給し、前記第２の整流部の出力を前記電力制御部へ供給し、前記第３の整流部の出力を前記音声出力部および前記ＡＶ信号供給部に供給し、
機能待機時には、前記第２の整流部の出力を前記電力制御部へ供給し、前記第３の整流部の出力を前記ＡＶ信号供給部に供給する
ことを特徴とするプラズマディスプレイ装置。
【請求項３】
前記第２の二次巻線の巻数は、前記第２の二次巻線に発生する電圧が前記第３の二次巻線に発生する電圧より大きくなるように設定されていることを特徴とする請求項２に記載のプラズマディスプレイ装置。
【請求項４】
電波信号を受信し映像信号および音声信号を出力するＡＶ信号供給部と、前記映像信号に基づき映像を表示する映像表示部と、前記音声信号に基づき音声を出力する音声出力部と、前記ＡＶ信号供給部と前記映像表示部と前記音声出力部とへの電力供給を制御する電力制御部と、前記電力制御部により電力供給を制御される主電源および前記電力制御部に電力を供給する副電源を有する電源回路とを備えたプラズマディスプレイ装置であって、
前記主電源は、第１の二次巻線と第２の二次巻線とを有する主電源用スイッチングトランスと、前記第１の二次巻線に発生する電圧を整流する第１の整流部と、前記第２の二次巻線に発生する電圧を整流する第２の整流部と、前記第１の整流部から出力される電圧が一定となるように前記主電源用スイッチングトランスの一次巻線の電流を制御する主電源用スイッチング制御部とを備え、
前記副電源は、第３の二次巻線と第４の二次巻線とを有する副電源用スイッチングトランスと、前記第２の整流部から出力される電圧に前記第３の二次巻線に発生する電圧を重畳した電圧と前記第４の二次巻線に発生する電圧との大きいほうの電圧を整流する第３の整流部と、前記第３の整流部から出力される電圧が一定となるように前記副電源用スイッチングトランスの一次巻線の電流を制御する副電源用スイッチング制御部とを備え、
映像表示時には、前記第１の整流部の出力を前記映像表示部に供給し、前記第３の整流部の出力を前記音声出力部、前記ＡＶ信号供給部および前記電力制御部に供給し、
機能待機時には、前記第３の整流部の出力を前記ＡＶ信号供給部および前記電力制御部へ供給する
ことを特徴とするプラズマディスプレイ装置。
【請求項５】
前記第４の二次巻線の巻数は、前記第４の二次巻線に発生する電圧が前記第２の整流部から出力される電圧に前記第３の二次巻線に発生する電圧を重畳した電圧より小さくなるように設定されていることを特徴とする請求項４に記載のプラズマディスプレイ装置。
【発明の詳細な説明】
【技術分野】
【０００１】
本発明は、交流面放電型のプラズマディスプレイ装置等の映像表示装置に用いる電源回路に関する。
【背景技術】
【０００２】
プラズマディスプレイパネル（以下、「パネル」と略記する）は、対向配置された前面板と背面板との間に多数の放電セルが形成されている。前面板は、走査電極と維持電極とからなる表示電極対がガラス製の前面基板上に複数形成されている。そしてそれら表示電極対を覆って誘電体層が形成され、誘電体層上には保護層が形成されている。背面板は、ガラス製の背面基板上にデータ電極が複数形成されている。そしてそれらデータ電極を覆って誘電体層が形成され、誘電体層上には隔壁が複数形成されている。誘電体層の表面と隔壁の側面とにはそれぞれ蛍光体層が形成されている。そして、表示電極対とデータ電極とが立体交差するように前面板と背面板とが対向配置されて密封され、内部の放電空間には、例えばキセノンを含む放電ガスが封入されている。こうして表示電極対とデータ電極との対向する部分に放電セルが形成される。
【０００３】
プラズマディスプレイ装置は、これらの放電セルのそれぞれを独立に制御し、選択的に放電、発光させることにより映像を表示している。そして、多くの電圧値を持つ駆動電圧波形を走査電極、維持電極およびデータ電極に印加することによりこれらの放電を安定に制御している。
【０００４】
プラズマディスプレイ装置は、パネルを駆動する各電極駆動回路や映像信号処理回路等を備えた映像表示部と、その映像表示部の各回路ブロックへ電力を供給するための電源回路とを備えている。またこの電源回路は、スピーカ等を備えた音声出力部、チューナを備えたＡＶ信号供給部、リモコンで制御する電力制御部にも電力を供給している。
【０００５】
このようなプラズマディスプレイ装置は、オフ状態、映像表示状態、待機録画状態、スタンバイ状態の４つの電力供給モードがある。オフ状態は、本体電源スイッチをオフにし、プラズマディスプレイ装置本体の電源を完全に切った状態である。映像表示状態は、映像を表示するために映像表示部、音声出力部、ＡＶ信号供給部および電力制御部へ電力を供給している状態である。待機録画状態は、映像の表示も音声の出力もしないため映像表示部および音声出力部へは電力を供給しないが、番組の録画等を行うためにＡＶ信号供給部および電力制御部に電力を供給している状態である。スタンバイ状態は、映像の表示も音声の出力もせず、またＡＶ信号供給部も起動しないため映像表示部、音声出力部およびＡＶ信号供給部へは電力を供給しないが、電力制御部へだけは電力を供給している状態である。
【０００６】
従来は、待機録画状態およびスタンバイ状態に対応するために様々な電源回路が検討されていた。
【０００７】
図１１は、従来のプラズマディスプレイ装置の電源回路２００の一例を示す回路図である。この電源回路２００は、主電源２０１と副電源２０２とを備えている。主電源２０１では、スイッチング素子Ｑ２０１を有するスイッチングレギュレータ（ＳＷＲ）を用いて映像表示部へ電力Ｐ１を供給し、自動電圧レギュレータ（ＡＶＲ）を用いて音声出力部へ電力Ｐ２を供給している。図１１では、ＡＶＲを集積回路ＩＣ２０１で示した。また副電源２０２でも、スイッチング素子Ｑ２０２を有するＳＷＲを用いてＡＶ信号供給部へ電力Ｐ３を供給し、集積回路ＩＣ２０２で示したＡＶＲを用いて電力制御部へ電力Ｐ４を供給している。
【０００８】
図１２は、従来のプラズマディスプレイ装置の電源回路３００の他の例を示す回路図である。この電源回路３００は、主電源３０１と副電源３０２とを備えている。主電源３０１では、スイッチング素子Ｑ３０１を有するＳＷＲを用いて映像表示部へ電力Ｐ１を供給している。また副電源３０２では、スイッチング素子Ｑ３０２を有するＳＷＲを用いて音声出力部へ電力Ｐ２を供給し、ＡＶ信号供給部へ電力Ｐ３を供給している。また集積回路ＩＣ３０２で示したＡＶＲを用いて電力制御部へ電力Ｐ４を供給している（例えば、特許文献１参照）。
【先行技術文献】
【特許文献】
【０００９】
【特許文献１】特開２００６−９６３号公報
【発明の概要】
【発明が解決しようとする課題】
【００１０】
しかしながら、図１１に示した電源回路２００では、生成電力から出力電力を差し引いた電力ロスの大きいＡＶＲを用いて音声出力部へ電力Ｐ２を供給していた。また図１２に示した電源回路３００では、ＡＶＲを用いずに音声出力部へ電力Ｐ２を供給できるが、副電源３０２が負担する電力が増え、副電源３０２が大きくなってしまうという課題があった。
【００１１】
本発明は、これらの課題に鑑みなされたものであり、電力効率の向上と小型化とをともに実現できる映像表示装置用電源回路およびこの電源回路を用いたプラズマディスプレイ装置を提供することを目的とする。
【課題を解決するための手段】
【００１２】
上記目的を達成するために本発明の映像表示装置用電源回路は、映像表示時に動作する主電源と、機能待機時および映像表示時に動作する副電源とを有する映像表示装置用電源回路であって、主電源は、第１の二次巻線と第２の二次巻線とを有する主電源用スイッチングトランスと、第１の二次巻線に発生する電圧を整流する第１の整流部と、第１の整流部から出力される電圧が一定となるように主電源用スイッチングトランスの一次巻線の電流を制御する主電源用スイッチング制御部とを備え、副電源は、第３の二次巻線と第４の二次巻線とを有する副電源用スイッチングトランスと、第２の二次巻線に発生する電圧および第３の二次巻線に発生する電圧の大きいほうの電圧を整流する第２の整流部と、第４の二次巻線に発生する電圧を整流して第２の整流部から出力される電圧に重畳する第３の整流部と、第３の整流部から出力される電圧が一定となるように副電源用スイッチングトランスの一次巻線の電流を制御する副電源用スイッチング制御部とを備えたことを特徴とする。
【００１３】
この構成により、電力効率の向上と小型化とをともに実現できる映像表示装置用電源回路を提供することが可能となる。
【発明の効果】
【００１４】
本発明によれば、電力効率の向上と小型化とをともに実現できる映像表示装置用電源回路およびこの電源回路を用いたプラズマディスプレイ装置を提供することが可能となる。
【図面の簡単な説明】
【００１５】
【図１】本発明の実施の形態１におけるパネルの分解斜視図である。
【図２】同パネルの電極配列図である。
【図３】同パネルの各電極に印加する駆動電圧波形図である。
【図４】本発明の実施の形態１におけるプラズマディスプレイ装置の回路ブロック図である。
【図５】同プラズマディスプレイ装置の電源回路の詳細を示す回路図である。
【図６】同プラズマディスプレイ装置が映像表示状態のときの電源回路の動作を説明する図である。
【図７】同プラズマディスプレイ装置が待機録画状態のときの電源回路の動作を説明する図である。
【図８】本発明の実施の形態２におけるプラズマディスプレイ装置の電源回路の詳細を示す回路図である。
【図９】同プラズマディスプレイ装置が映像表示状態のときの電源回路の動作を説明する図である。
【図１０】同プラズマディスプレイ装置が待機録画状態のときの電源回路の動作を説明する図である。
【図１１】従来のプラズマディスプレイ装置の電源回路の一例を示す回路図である。
【図１２】従来のプラズマディスプレイ装置の電源回路の他の例を示す回路図である。
【発明を実施するための形態】
【００１６】
以下、本発明の実施の形態におけるプラズマディスプレイ装置について、図面を用いて説明する。
【００１７】
（実施の形態１）
図１は、本発明の実施の形態１におけるパネル１０の分解斜視図である。パネル１０は、前面板２０と背面板３０とを放電空間を挟んで対向配置して構成されている。
【００１８】
前面板２０は、ガラス製の前面基板２１上に走査電極２２と維持電極２３とからなる表示電極対２４を複数形成して構成されている。そしてそれら表示電極対２４を覆って誘電体層２５が形成され、誘電体層２５上に保護膜２６が形成されている。
【００１９】
背面板３０は、ガラス製の背面基板３１上にデータ電極３２を複数形成して構成されている。そしてそれらデータ電極３２を覆って誘電体層３３が形成され、誘電体層３３上に井桁状の隔壁３４が形成されている。さらに隔壁３４の側面および誘電体層３３上に赤色、緑色および青色の各色に発光する蛍光体層３５が形成されている。
【００２０】
放電空間には、放電ガスとしてネオン（Ｎｅ）とキセノン（Ｘｅ）との混合ガスが封入されている。放電空間は、図１に示すように隔壁３４によって複数の区画に仕切られており、表示電極対２４とデータ電極３２とが交差する部分に放電セルが形成されている。そして各放電セルが放電、発光することにより映像が表示される。
【００２１】
図２は、本発明の実施の形態１におけるパネル１０の電極配列図である。パネル１０には、行方向に長いｎ本の走査電極２２およびｎ本の維持電極２３が配列され、列方向に長いｍ本のデータ電極３２が配列されている。そして放電空間内には、１対の走査電極２２および維持電極２３と１つのデータ電極３２とが交差した部分に放電セルが形成される。こうしてパネル１０にはｍ×ｎ個の放電セルが形成されている。
【００２２】
次に、パネル１０を駆動するための駆動電圧波形およびその動作の概要について説明する。プラズマディスプレイ装置は、サブフィールド法、すなわち１フィールドを時間軸上で複数のサブフィールドに分割し、各サブフィールドに輝度重みをそれぞれ設定し、サブフィールド毎に各放電セルの発光・非発光を制御することによって階調表示を行う。
【００２３】
本実施の形態１においては、１フィールドを８つのサブフィールドで構成し、各サブフィールドはそれぞれ１、２、４、８、１６、３２、６４、１２８の輝度重みを有する。各サブフィールドの維持期間には、それぞれのサブフィールドの輝度重みに所定の輝度倍率を乗じた数の維持パルスを表示電極対２４のそれぞれに印加する。
【００２４】
しかし本発明は、サブフィールド数や各サブフィールドの輝度重みが上記の値に限定されるものではなく、また映像信号等に基づいてサブフィールド構成を切換えてもよい。
【００２５】
図３は、本発明の実施の形態１におけるパネル１０の各電極に印加する駆動電圧波形図である。図３には２つのサブフィールドの駆動電圧波形を示しているが、他のサブフィールドの駆動電圧波形もほぼ同様である。
【００２６】
第１サブフィールドの初期化期間では、データ電極３２、維持電極２３にそれぞれ０（Ｖ）を印加し、走査電極２２に電圧Ｖｉ１に向かって緩やかに上昇する傾斜波形電圧を印加する。次に、維持電極２３に電圧Ｖｅを印加し、走査電極２２に電圧Ｖｉ２に向かって緩やかに下降する傾斜波形電圧を印加する。すると走査電極２２と維持電極２３、データ電極３２との間でそれぞれ微弱な初期化放電が起こる。そして、走査電極２２上の壁電圧および維持電極２３上の壁電圧が弱められ、データ電極３２上の壁電圧は書込み動作に適した値に調整される。ここで、電極上の壁電圧とは電極を覆う誘電体層上、保護層上、蛍光体層上等に蓄積された壁電荷により生じる電圧を表す。
【００２７】
なお、初期化期間の駆動電圧波形としては、図３の第２サブフィールドの初期化期間に示したように、初期化期間後半部の駆動電圧波形だけを印加してもよい。この場合には直前のサブフィールドの維持期間において維持放電を行った放電セルで選択的に初期化放電が発生する。
【００２８】
書込み期間では、１行目の走査電極２２に電圧Ｖａの走査パルスを印加するとともに、データ電極３２のうち１行目に発光させるべき放電セルのデータ電極３２に電圧Ｖｄの書込みパルスを印加する。するとデータ電極３２と走査電極２２との間および維持電極２３と走査電極２２との間で書込み放電が起こり、走査電極２２上に正の壁電圧が蓄積され、維持電極２３上に負の壁電圧が蓄積され、データ電極３２上にも負の壁電圧が蓄積される。以上の書込み動作を走査電極２２のｎ行目の放電セルに至るまで行う。このようにして、表示すべき映像データに応じて、対応する放電セルで書込み動作が行われる。
【００２９】
続く維持期間では、まず維持電極２３に０（Ｖ）を印加し、走査電極２２に電圧Ｖｓの維持パルスを印加する。すると書込み放電を起こした放電セルで維持放電が起こり、このとき発生した紫外線により蛍光体層３５が発光する。そして走査電極２２上に負の壁電圧が蓄積され、維持電極２３上に正の壁電圧が蓄積される。続いて、走査電極２２には０（Ｖ）を、維持電極２３には電圧Ｖｓの維持パルスをそれぞれ印加する。すると、書込み放電を起こした放電セルで再び維持放電が起こり、維持電極２３上に負の壁電圧が蓄積され走査電極２２上に正の壁電圧が蓄積される。以降同様に、走査電極２２と維持電極２３とに交互に輝度重みに応じた数の維持パルスを印加して、書込み放電を起こした放電セルで維持放電を継続して発生させる。
【００３０】
以上が、パネル１０の各電極に印加する駆動電圧波形の概要である。ここで維持放電を発生させるための電力は大きく、本実施の形態１においてはおよそ１００（Ｗ）である。しかしこの電力は表示する映像によって大きく変動する。また初期化放電を発生させるための電力はわずかである。そのためパネル１０を駆動するための電力は初期化期間では小さく、維持期間で大きくなる。
【００３１】
次に、本実施の形態１におけるプラズマディスプレイ装置の構成について説明する。
【００３２】
図４は、本発明の実施の形態１におけるプラズマディスプレイ装置４０の回路ブロック図である。プラズマディスプレイ装置４０は、ＡＶ信号供給部５０、映像表示部６０、音声出力部７０および電源回路８０を備えている。
【００３３】
ＡＶ信号供給部５０は、チューナ５１と記憶再生部５２と信号分離部５３とを有する。チューナ５１は、受信した電波信号を復調して復調信号を記憶再生部５２および信号分離部５３へ送信する。記憶再生部５２は、復調信号をハードディスクドライブに記憶する。また、記憶した復調信号を信号分離部５３へ送信する。信号分離部５３は、復調信号を映像信号と音声信号と同期信号とに分離する。そして、映像信号および同期信号を映像表示部６０へ送信し、音声信号を音声出力部７０へ送信する。このようにＡＶ信号供給部５０は、電波信号を受信し映像信号および音声信号を出力する。
【００３４】
映像表示部６０は、映像信号処理回路６１、タイミング発生回路６２、データ電極駆動回路６３、走査電極駆動回路６４、維持電極駆動回路６５およびパネル１０を有する。映像信号処理回路６１は、サブフィールド毎の放電セルの発光・非発光を示す映像データに映像信号を変換し、映像データをデータ電極駆動回路６３へ送信する。タイミング発生回路６２は、同期信号に従って各回路ブロックの動作を制御する各種のタイミング信号を発生し、各回路ブロックへ供給する。データ電極駆動回路６３は、各データ電極３２に対応する書込みパルスに映像データを変換し、書込みパルスを各データ電極３２に印加する。走査電極駆動回路６４は、タイミング信号に基づいて各走査電極２２をそれぞれ駆動する。維持電極駆動回路６５は、タイミング信号に基づいて維持電極２３を駆動する。このように映像表示部６０は、映像信号に基づき各回路を動作させてパネル１０に映像を表示する。
【００３５】
音声出力部７０は、音声増幅回路７１とスピーカ７２とを有する。音声増幅回路７１は音声信号を増幅してスピーカ７２へ送信する。スピーカ７２は音声信号を音声に変換する。このように音声出力部７０は、音声信号に基づき音声を出力する。
【００３６】
電源回路８０は、主電源８１、副電源８２、電力制御部８３、本体電源スイッチ８４、主電源スイッチ８５、音声出力部スイッチ８６およびＡＶ信号供給部スイッチ８７を有する。
【００３７】
本体電源スイッチ８４は、商用交流電源１００の電力を副電源８２へ供給する。また主電源スイッチ８５を介して商用交流電源１００の電力を主電源８１に供給する。
【００３８】
副電源８２は、電力制御部８３へ電力Ｐ４を供給する。またＡＶ信号供給部スイッチ８７を介してＡＶ信号供給部５０へ電力Ｐ３を供給し、音声出力部スイッチ８６を介して音声出力部７０へ電力Ｐ２を供給する。ただし本実施の形態１においては、詳細は後述するが、プラズマディスプレイ装置４０の電力供給モードに応じて、電力制御部８３、ＡＶ信号供給部５０および音声出力部７０へ電力を供給する方法を切り替えている。
【００３９】
主電源８１は、映像表示部６０へ電力Ｐ１を供給する。また詳細は後述するが、電力制御部８３により電力供給を制御され、副電源８２を介して電力制御部８３、ＡＶ信号供給部５０および音声出力部７０へ電力を供給する。
【００４０】
電力制御部８３は、受光部８３ａで受信したリモコン８３ｂの信号に基づいて、主電源スイッチ８５、音声出力部スイッチ８６およびＡＶ信号供給部スイッチ８７を制御する。映像表示状態では、主電源スイッチ８５をオンにして主電源８１を動作させ、映像表示部６０へ電力Ｐ１を供給する。また音声出力部スイッチ８６をオンにして音声出力部７０へ電力Ｐ２を供給し、ＡＶ信号供給部スイッチ８７をオンにしてＡＶ信号供給部５０へ電力Ｐ３を供給する。待機録画状態では、主電源スイッチ８５および音声出力部スイッチ８６をオフにし、ＡＶ信号供給部スイッチ８７をオンにしてＡＶ信号供給部５０だけに電力Ｐ３を供給する。スタンバイ状態では、主電源スイッチ８５、音声出力部スイッチ８６およびＡＶ信号供給部スイッチ８７をオフにし、電力Ｐ１、Ｐ２、Ｐ３を供給しない。このように電力制御部８３は、ＡＶ信号供給部５０と映像表示部６０と音声出力部７０とへの電力供給を制御する。
【００４１】
なお、本実施の形態１においては、映像表示部６０へは電圧２００（Ｖ）平均電流０．５（Ａ）の電力Ｐ１を、音声出力部７０へは電圧１５（Ｖ）平均電流２（Ａ）の電力Ｐ２を、ＡＶ信号供給部５０へは電圧１５（Ｖ）平均電流２（Ａ）の電力Ｐ３を、電力制御部８３へは電圧５（Ｖ）平均電流０．０１（Ａ）の電力Ｐ４をそれぞれ供給するものとして説明する。しかし本発明はこれらの数値に限定されるものではない。
【００４２】
次に、電源回路８０の詳細な構成について説明する。
【００４３】
図５は、本発明の実施の形態１におけるプラズマディスプレイ装置４０の電源回路８０の詳細を示す回路図である。
【００４４】
主電源８１は、主電源用スイッチングトランスＴ８１と、一次側整流部８１１と、第１の整流部８１２と、主電源用スイッチング制御部Ｓ８１とを有する。
【００４５】
主電源用スイッチングトランスＴ８１は、一次巻線Ｌ８１１と第１の二次巻線Ｌ８１２と第２の二次巻線Ｌ８１３とを有する。
【００４６】
一次側整流部８１１はダイオードＤ８１１とコンデンサＣ８１１とを有し、商用交流電源１００を整流して一次巻線Ｌ８１１に直流電流を供給する。
【００４７】
第１の整流部８１２はダイオードＤ８１２とコンデンサＣ８１２とを有し、第１の二次巻線Ｌ８１２に発生する電圧ｅ１を整流して電圧Ｅ１を出力する。
【００４８】
主電源用スイッチング制御部Ｓ８１は第１の整流部８１２から出力される電圧Ｅ１が電圧２００（Ｖ）で一定となるようにスイッチング素子Ｑ８１を制御して、主電源用スイッチングトランスＴ８１の一次巻線Ｌ８１１の電流を制御する。第２の二次巻線Ｌ８１３の低電位側の端子は接地され、高電位側の端子は後述する副電源８２の第２の整流部８２２に接続されている。
【００４９】
副電源８２は、副電源用スイッチングトランスＴ８２と、一次側整流部８２１と、第２の整流部８２２と、第３の整流部８２３と、副電源用スイッチング制御部Ｓ８２と、集積回路ＩＣ８２とを有する。
【００５０】
副電源用スイッチングトランスＴ８２は、一次巻線Ｌ８２１と第３の二次巻線Ｌ８２２と第４の二次巻線Ｌ８２３とを有する。
【００５１】
一次側整流部８２１はダイオードＤ８２１とコンデンサＣ８２１とを有し、商用交流電源１００を整流して一次巻線Ｌ８２１に供給する。
【００５２】
第２の整流部８２２はダイオードＤ８１３とダイオードＤ８２２とダイオードＤ８９１とコンデンサＣ８２２とを有する。そして、第２の二次巻線Ｌ８１３の高電位側の端子はダイオードＤ８１３を介してコンデンサＣ８２２の高電位側の端子に接続され、第３の二次巻線Ｌ８２２の高電位側の端子もダイオードＤ８２２を介してコンデンサＣ８２２の高電位側の端子に接続されている。第２の二次巻線Ｌ８１３の低電位側の端子は接地され、第３の二次巻線Ｌ８２２の低電位側の端子も接地されている。そして、第２の二次巻線Ｌ８１３に発生する電圧ｅ２と第３の二次巻線Ｌ８２２に発生する電圧ｅ３との大きいほうの電圧を整流する。こうして第２の整流部８２２は、電圧ｅ２＞電圧ｅ３の場合には電圧ｅ２を整流して電圧Ｅ２を出力し、電圧ｅ２＜電圧ｅ３の場合には電圧ｅ３を整流して電圧Ｅ３を出力する。なおダイオードＤ８９１はコンデンサＣ８２２の保護用ダイオードであり、コンデンサＣ８２２として電解コンデンサ等の有極性コンデンサを用いた場合に逆極性の電圧が印加されないように設けられている。
【００５３】
第３の整流部８２３はダイオードＤ８２３とダイオードＤ８９２とコンデンサＣ８２３とを有し、第４の二次巻線Ｌ８２３に発生する電圧ｅ４を整流して電圧Ｅ４を出力する。そして、電圧Ｅ４を第２の整流部８２２から出力される電圧Ｅ２または電圧Ｅ３に重畳する。そのため第３の整流部８２３から出力される電圧、すなわち電力Ｐ２および電力Ｐ３の電圧は、電圧ｅ３＞電圧ｅ２の場合には電圧Ｅ３と電圧Ｅ４との和の電圧（Ｅ３＋Ｅ４）となる。また電圧ｅ３＜電圧ｅ２の場合には電圧Ｅ２と電圧Ｅ４との和の電圧（Ｅ２＋Ｅ４）となる。
【００５４】
なお、ダイオードＤ８９２はコンデンサＣ８２３の保護用ダイオードであり、コンデンサＣ８２３として電解コンデンサ等の有極性コンデンサを用いた場合に逆極性の電圧が印加されないように設けられている。また実施の形態１においては、第２の二次巻線Ｌ８１３は電圧Ｅ２が８（Ｖ）を下回らない巻数に設定されている。また第３の二次巻線Ｌ８２２および第４の二次巻線Ｌ８２３の巻数は同数に設定されている。そのため電圧Ｅ３と電圧Ｅ４とは同程度の電圧である。
【００５５】
副電源用スイッチング制御部Ｓ８２は、第３の整流部８２３から出力される電圧が安定して電圧１５（Ｖ）となるようにスイッチング素子Ｑ８２を制御して、副電源用スイッチングトランスＴ８２の一次巻線Ｌ８２１の電流を制御する。すなわち電圧ｅ３＞電圧ｅ２の場合には電圧（Ｅ３＋Ｅ４）が電圧１５（Ｖ）となるようにスイッチング素子Ｑ８２を制御する。また電圧ｅ３＜電圧ｅ２の場合には電圧（Ｅ２＋Ｅ４）が電圧１５（Ｖ）となるようにスイッチング素子Ｑ８２を制御する。
【００５６】
集積回路ＩＣ８２は電力Ｐ４の電圧が５（Ｖ）となるように出力される電圧を安定させるためのＡＶＲである。したがって、電圧ｅ３＞電圧ｅ２の場合には電圧Ｅ３を入力して安定した５（Ｖ）を出力する。また電圧ｅ３＜電圧ｅ２の場合には電圧Ｅ２を入力して安定した５（Ｖ）を出力する。
【００５７】
次にプラズマディスプレイ装置４０の電力供給モードについて説明する。
【００５８】
プラズマディスプレイ装置４０には、オフ状態、映像表示状態、待機録画状態およびスタンバイ状態の４つの電力供給モードがある。オフ状態は、本体電源スイッチ８４をオフにし、プラズマディスプレイ装置４０に電力Ｐ１、Ｐ２、Ｐ３、Ｐ４を供給しない状態である。つまりテレビ本体の電源を完全に切った状態である。映像表示状態は、副電源８２および主電源８１を動作させてＡＶ信号供給部５０、映像表示部６０、音声出力部７０および電力制御部８３へそれぞれ電力Ｐ１、Ｐ２、Ｐ３、Ｐ４を供給している状態である。つまり映像と音声とを出力しテレビ番組を視聴できる状態である。待機録画状態は、副電源８２だけを動作させてＡＶ信号供給部５０および電力制御部８３へそれぞれ電力Ｐ３、Ｐ４を供給している状態である。つまり放送番組を録画または録画予約している状態である。スタンバイ状態は、副電源８２だけを動作させて電力制御部８３だけに電力Ｐ４を供給している状態である。つまりリモコン８３ｂでテレビの電源を切った状態である。
【００５９】
次に、各電力供給モードにおける電源回路８０の動作について説明する。
【００６０】
（オフ状態）
本体電源スイッチ８４をオフにする。すると電源回路８０に電力は供給されず、プラズマディスプレイ装置４０の各回路ブロックには電力Ｐ１、Ｐ２、Ｐ３、Ｐ４は供給されない。
【００６１】
（映像表示状態）
映像表示状態では本体電源スイッチ８４をオンにして副電源８２を動作させ、主電源スイッチ８５をオンにして主電源８１を動作させる。さらに、音声出力部スイッチ８６をオンにして音声出力部７０に電力Ｐ２を供給し、ＡＶ信号供給部スイッチ８７をオンにしてＡＶ信号供給部５０に電力Ｐ３を供給する。
【００６２】
図６は、本発明の実施の形態１におけるプラズマディスプレイ装置４０が映像表示状態のときの電源回路８０の動作を説明する図である。なお図６では、コンデンサの保護用ダイオードであるダイオードＤ８９１、ダイオードＤ８９２は省略した。主電源８１が動作すると第１の二次巻線Ｌ８１２に発生する電圧ｅ１がダイオードＤ８１２で整流されコンデンサＣ８１２で平滑されて、第１の整流部８１２からは電圧Ｅ１が出力される。主電源用スイッチング制御部Ｓ８１は、この電圧Ｅ１が安定して２００（Ｖ）となるようにスイッチング素子Ｑ８１を制御する。こうして安定した電圧２００（Ｖ）の電力Ｐ１を映像表示部６０へ供給する。また第２の二次巻線Ｌ８１３に発生する電圧ｅ２がダイオードＤ８１３で整流されコンデンサＣ８２２で平滑されて、第２の整流部８２２からは電圧Ｅ２が出力される。
【００６３】
ここで、映像表示部６０の消費電力は表示する映像等に依存して大きく変動する。そしてこの負荷変動を抑えるように主電源用スイッチング制御部Ｓ８１がスイッチング素子Ｑ８１を制御する。そのため、映像表示部６０の負荷が大きくなるとスイッチング素子Ｑ８１をオンする時間が長くなり電圧ｅ２が上昇する。逆に、映像表示部６０の負荷が小さくなるとスイッチング素子Ｑ８１をオンする時間が短くなり電圧ｅ２が低下する。このように電圧ｅ２は表示する映像に依存して大きく変動する。したがって電圧Ｅ２もおよそ８（Ｖ）〜１０（Ｖ）の範囲で大きく変動する。
【００６４】
副電源８２の第４の二次巻線Ｌ８２３に発生する電圧ｅ４はダイオードＤ８２３で整流されコンデンサＣ８２３の両端には電圧Ｅ４が発生する。この電圧Ｅ４は第２の整流部８２２の出力する電圧Ｅ２に重畳されるので、コンデンサＣ８２３の高電位側の電圧、すなわち第３の整流部８２３から出力される電圧は電圧（Ｅ２＋Ｅ４）となる。
【００６５】
副電源用スイッチング制御部Ｓ８２は、この電圧（Ｅ２＋Ｅ４）が１５（Ｖ）となるようにスイッチング素子Ｑ８２を制御する。こうして音声出力部７０へ電圧１５（Ｖ）の安定した電力Ｐ２が供給される。またＡＶ信号供給部５０へも電圧１５（Ｖ）の安定した電力Ｐ３が供給される。
【００６６】
このように本実施の形態１においては電圧（Ｅ２＋Ｅ４）が電圧１５（Ｖ）となるように制御されている。そのため、電圧Ｅ２が８（Ｖ）程度であれば電圧Ｅ４は７（Ｖ）程度の電圧となっている。上述したように第３の二次巻線Ｌ８２２の巻数は第４の二次巻線Ｌ８２３と同数に設定されている。そのため、第３の二次巻線Ｌ８２２に発生する電圧ｅ３を整流した場合の電圧Ｅ３も７（Ｖ）程度となる。このように、映像表示状態では主電源８１および副電源８２がともに動作して電圧ｅ３＜電圧ｅ２となる。そのため電力Ｐ２および電力Ｐ３は、第２の二次巻線Ｌ８１３および第４の二次巻線Ｌ８２３から主に供給され、第３の二次巻線Ｌ８２２からはほとんど供給されない。
【００６７】
実施の形態１においては、映像表示部６０へ電圧２００（Ｖ）、平均電流０．５（Ａ）を供給するので、第１の二次巻線Ｌ８１２が供給する電力Ｐ１はおよそ１００（Ｗ）である。また電力Ｐ２の平均電流は２（Ａ）であり、電力Ｐ３の平均電流は２（Ａ）であり、その合計は４（Ａ）である。したがって電圧Ｅ２を８（Ｖ）程度とすると、第２の二次巻線Ｌ８１３から供給される電力はおよそ３２（Ｗ）である。そして残りの電力２８（Ｗ）のほとんどは第４の二次巻線Ｌ８２３から供給される。
【００６８】
このように映像表示状態においては、主電源８１からおよそ１３２（Ｗ）の電力が供給され、副電源８２からおよそ２８（Ｗ）の電力が供給される。
【００６９】
なお、電力制御部８３へはＡＶＲ用の集積回路ＩＣ８２を用いて電圧が５（Ｖ）の電力Ｐ４を供給するが、電流はわずかであるため電力Ｐ４も微小である。
【００７０】
（待機録画状態）
待機録画状態では、本体電源スイッチ８４をオンにして副電源８２を動作させる。またＡＶ信号供給部スイッチ８７をオンにしてＡＶ信号供給部５０に電力Ｐ３を供給する。しかし主電源スイッチ８５をオフにして主電源８１を動作させない。また音声出力部スイッチ８６をオフにして音声出力部７０に電力Ｐ２を供給しない。
【００７１】
図７は、本発明の実施の形態１におけるプラズマディスプレイ装置４０が待機録画状態のときの電源回路８０の動作を説明する図である。なお図７でも、コンデンサの保護用ダイオードであるダイオードＤ８９１、ダイオードＤ８９２は省略した。主電源８１が動作しないので、第１の二次巻線Ｌ８１２および第２の二次巻線Ｌ８１３には電圧が発生しない。すなわち電圧ｅ１および電圧ｅ２は電圧０（Ｖ）となる。
【００７２】
副電源８２の第３の二次巻線Ｌ８２２には電圧ｅ３が発生し、第４の二次巻線Ｌ８２３には電圧ｅ４が発生する。このとき電圧ｅ２は０（Ｖ）であるため電圧ｅ３＞電圧ｅ２となる。したがって第３の二次巻線Ｌ８２２に発生する電圧ｅ３がダイオードＤ８２２で整流されコンデンサＣ８２２で平滑されて、第２の整流部８２２からは電圧Ｅ３が出力される。また第４の二次巻線Ｌ８２３に発生する電圧ｅ４がダイオードＤ８２３で整流されコンデンサＣ８２３で平滑されて電圧Ｅ４が出力される。そして電圧Ｅ４が電圧Ｅ３に重畳されて、第３の整流部８２３からは電圧（Ｅ３＋Ｅ４）が出力される。副電源用スイッチング制御部Ｓ８２はこの電圧（Ｅ３＋Ｅ４）が１５（Ｖ）となるようにスイッチング素子Ｑ８２を制御する。こうしてＡＶ信号供給部５０へ電圧１５（Ｖ）の安定した電力Ｐ３が供給される。
【００７３】
このように待機録画状態においては、副電源８２からおよそ３０（Ｗ）の電力が供給される。
【００７４】
なお、電力制御部８３へはＡＶＲ用の集積回路ＩＣ８２を用いて電圧が５（Ｖ）の電力Ｐ４を供給するが、電流はわずかであるので電力Ｐ４も微小である。
【００７５】
（スタンバイ状態）
スタンバイ状態では、本体電源スイッチ８４をオンにして副電源８２を動作させる。しかし主電源スイッチ８５をオフにして主電源８１を動作させない。またＡＶ信号供給部スイッチ８７をオフ、音声出力部スイッチ８６をオフにしてＡＶ信号供給部５０および音声出力部７０に電力を供給しない。
【００７６】
このとき副電源８２の第３の二次巻線Ｌ８２２に発生する電圧ｅ３がダイオードＤ８２２で整流されコンデンサＣ８２２で平滑されて、第２の整流部８２２からは電圧Ｅ３が出力される。また第４の二次巻線Ｌ８２３に発生する電圧ｅ４がダイオードＤ８２３で整流されコンデンサＣ８２３で平滑されて電圧Ｅ４が出力される。そして電圧Ｅ４が電圧Ｅ３に重畳されて、第３の整流部８２３からは電圧（Ｅ３＋Ｅ４）が出力される。副電源用スイッチング制御部Ｓ８２はこの電圧（Ｅ３＋Ｅ４）が１５（Ｖ）となるようにスイッチング素子Ｑ８２を制御する。こうして電力制御部８３へはＡＶＲ用の集積回路ＩＣ８２を用いて電圧が５（Ｖ）の電力Ｐ４を供給するが、電流はわずかであるため電力Ｐ４も微小である。
【００７７】
以上のように実施の形態１においては、映像表示状態では、主電源８１は１００（Ｗ）の電力Ｐ１をＳＷＲで安定化して映像表示部６０へ供給するとともに、６０（Ｗ）の電力（Ｐ２＋Ｐ３）のうちの約半分である３２（Ｗ）を供給する。副電源８２は、６０（Ｗ）の電力（Ｐ２＋Ｐ３）のうちの残りの約半分の２８（Ｗ）を供給する。また電力（Ｐ２＋Ｐ３）をＳＷＲで安定化して音声出力部７０およびＡＶ信号供給部５０へ供給する。このように主電源８１からおよそ１３２（Ｗ）の電力が供給され、副電源８２からおよそ２８（Ｗ）の電力が供給される。
【００７８】
また待機録画状態では、副電源８２のみが動作して、３０（Ｗ）の電力Ｐ３をＳＷＲで安定化してＡＶ信号供給部５０へ供給する。このように副電源８２から映像表示状態とほぼ同様の電力が供給される。
【００７９】
したがって実施の形態１における電源回路８０は、副電源８２から供給する電力は、映像表示状態および待機録画状態のいずれであっても３０（Ｗ）程度である。そのため電力ロスの大きいＡＶＲを用いることなく副電源８２を小型化することができる。こうして、電力効率の向上と小型化とをともに実現した電源回路８０を用いたプラズマディスプレイ装置４０を提供することが可能となる。
【００８０】
さらに実施の形態１における電源回路８０は、主電源８１を動作させた場合に主電源８１の第２の二次巻線Ｌ８１３から出力される電圧Ｅ２が、副電源８２の第３の二次巻線Ｌ８２２から出力される電圧Ｅ３より大きくなるように設定されている。そのため映像表示状態では電圧Ｅ２の電力が供給され、待機録画状態では電圧Ｅ３の電力が供給される。このように主電源スイッチ８５のオン・オフで切り替えることで、主電源８１と副電源８２との電力の分担を切り替えることができる。
【００８１】
（実施の形態２）
本実施の形態２におけるプラズマディスプレイ装置４１のパネル１０の構成は実施の形態１におけるプラズマディスプレイ装置４０のパネル１０と同じである。また本実施の形態２におけるプラズマディスプレイ装置４１の回路ブロックも実施の形態１におけるプラズマディスプレイ装置４０の回路ブロックと同様であるため、同一の構成要素には実施の形態１と同じ符号を付して詳細な説明は省略する。実施の形態２におけるプラズマディスプレイ装置４１が実施の形態１におけるプラズマディスプレイ装置４０と異なる点は、電源回路９０の主電源９１および副電源９２の回路構成およびその動作である。
【００８２】
図８は、本発明の実施の形態２におけるプラズマディスプレイ装置４１の電源回路９０の詳細を示す回路図である。電源回路９０は、主電源９１、副電源９２、電力制御部８３、本体電源スイッチ８４、主電源スイッチ８５、音声出力部スイッチ８６およびＡＶ信号供給部スイッチ８７を有する。
【００８３】
主電源９１は、主電源用スイッチングトランスＴ９１と、一次側整流部９１１と、第１の整流部９１２と、第２の整流部９１３と、主電源用スイッチング制御部Ｓ９１とを有する。
【００８４】
主電源用スイッチングトランスＴ９１は、一次巻線Ｌ９１１と第１の二次巻線Ｌ９１２と第２の二次巻線Ｌ９１３とを有する。
【００８５】
一次側整流部９１１はダイオードＤ９１１とコンデンサＣ９１１とを有し、商用交流電源１００を整流して一次巻線Ｌ９１１に直流電流を供給する。
【００８６】
第１の整流部９１２はダイオードＤ９１２とコンデンサＣ９１２とを有し、第１の二次巻線Ｌ９１２に発生する電圧ｅ１１を整流して電圧Ｅ１１を出力する。
【００８７】
主電源用スイッチング制御部Ｓ９１は第１の整流部９１２から出力される電圧Ｅ１１が安定して電圧２００（Ｖ）となるようにスイッチング素子Ｑ９１を制御して、主電源用スイッチングトランスＴ９１の一次巻線Ｌ９１１の電流を制御する。
【００８８】
第２の整流部９１３はダイオードＤ９１３とダイオードＤ９９１とコンデンサＣ９１３とを有し、第２の二次巻線Ｌ９１３に発生する電圧ｅ１２を整流して電圧Ｅ１２を出力する。第２の二次巻線Ｌ９１３の低電位側の端子は接地されている。
【００８９】
副電源９２は、副電源用スイッチングトランスＴ９２と、一次側整流部９２１と、第３の整流部９２２と、副電源用スイッチング制御部Ｓ９２と、集積回路ＩＣ９２とを有する。
【００９０】
副電源用スイッチングトランスＴ９２は、一次巻線Ｌ９２１と第３の二次巻線Ｌ９２２と第４の二次巻線Ｌ９２３とを有する。
【００９１】
一次側整流部９２１はダイオードＤ９２１とコンデンサＣ９２１とを有し、商用交流電源１００を整流して一次巻線Ｌ９２１に供給する。
【００９２】
第３の整流部９２２はダイオードＤ９２２とダイオードＤ９２３とダイオードＤ９９２とコンデンサＣ９２２とを有する。第３の二次巻線Ｌ９２２の低電位側の端子はコンデンサＣ９１３の高電位側の端子に接続され、第３の二次巻線Ｌ９２２の高電位側の端子はダイオードＤ９２２を介してコンデンサＣ９２２の高電位側の端子に接続されている。また第４の二次巻線Ｌ９２３の低電位側の端子は接地され、第４の二次巻線Ｌ９２３の高電位側の端子はダイオードＤ９２３を介してコンデンサＣ９２２の高電位側の端子に接続されている。そして第３の整流部９２２は、第２の整流部９１３から出力される電圧Ｅ１２を第３の二次巻線Ｌ９２２に発生する電圧ｅ１３に重畳した電圧（Ｅ１２＋ｅ１３）と、第４の二次巻線Ｌ９２３に発生する電圧ｅ１４との大きいほうの電圧を整流する。そのため第３の整流部９２２は、電圧ｅ１４＞電圧（Ｅ１２＋ｅ１３）の場合には電圧ｅ１４を整流して電圧Ｅ１４を出力する。また電圧ｅ１４＜電圧（Ｅ１２＋ｅ１３）の場合には電圧（Ｅ１２＋ｅ１３）を整流して電圧（Ｅ１２＋Ｅ１３）を出力する。
【００９３】
なお、本実施の形態２においては、第４の二次巻線Ｌ９２３の巻数は第３の二次巻線Ｌ９２２の巻数の２倍に設定されている。そのため第４の二次巻線Ｌ９２３に発生する電圧ｅ１４は第３の二次巻線Ｌ９２２に発生する電圧ｅ１３の２倍程度の電圧である。また第２の二次巻線Ｌ９１３は電圧Ｅ１２が電圧８（Ｖ）を下回らない巻数に設定されている。
【００９４】
副電源用スイッチング制御部Ｓ９２は、第３の整流部９２２から出力される電圧が安定して電圧１５（Ｖ）となるようにスイッチング素子Ｑ９２を制御して、副電源用スイッチングトランスＴ９２の一次巻線Ｌ９２１の電流を制御する。すなわち電圧ｅ１４＞電圧（Ｅ１２＋ｅ１３）の場合には電圧Ｅ１４が電圧１５（Ｖ）となるようにスイッチング素子Ｑ９２を制御する。また電圧ｅ１４＜電圧（Ｅ１２＋ｅ１３）の場合には電圧（Ｅ１２＋Ｅ１３）が電圧１５（Ｖ）となるようにスイッチング素子Ｑ９２を制御する。
【００９５】
集積回路ＩＣ９２は、電力Ｐ４の電圧が５（Ｖ）となるように出力される電圧を安定させるためのＡＶＲである。第３の整流部９２２から出力される電圧を入力して安定した電圧５（Ｖ）を出力する。
【００９６】
次に、プラズマディスプレイ装置４１の各電力供給モードにおける電源回路９０の動作について説明する。
【００９７】
（オフ状態）
本体電源スイッチ８４をオフにする。すると電源回路９０に電力は供給されず、プラズマディスプレイ装置４１の各回路ブロックには電力Ｐ１、Ｐ２、Ｐ３、Ｐ４が供給されない。
【００９８】
（映像表示状態）
映像表示状態では、本体電源スイッチ８４をオンにして副電源９２を動作させ、主電源スイッチ８５をオンにして主電源９１を動作させる。さらに、音声出力部スイッチ８６をオンにして音声出力部７０に電力Ｐ２を供給し、ＡＶ信号供給部スイッチ８７をオンにしてＡＶ信号供給部５０に電力Ｐ３を供給する。
【００９９】
図９は、本発明の実施の形態２におけるプラズマディスプレイ装置４１が映像表示状態のときの電源回路９０の動作を説明する図である。なお図９では、コンデンサの保護用ダイオードであるダイオードＤ９９１、ダイオードＤ９９２は省略した。主電源９１が動作すると、第１の二次巻線Ｌ９１２に発生する電圧ｅ１１がダイオードＤ９１２で整流されコンデンサＣ９１２で平滑されて、第１の整流部９１２からは電圧Ｅ１１が出力される。主電源用スイッチング制御部Ｓ９１は、この電圧Ｅ１１が２００（Ｖ）となるようにスイッチング素子Ｑ９１を制御する。こうして安定した電圧２００（Ｖ）の電力Ｐ１を映像表示部６０へ供給する。また第２の二次巻線Ｌ９１３に発生する電圧ｅ１２がダイオードＤ９１３で整流されコンデンサＣ９１３で平滑されて、第２の整流部９１３からは電圧Ｅ１２が出力される。
【０１００】
ここでも映像表示部６０の消費電力の変動に依存して、電圧Ｅ１２はおよそ８（Ｖ）〜１０（Ｖ）の範囲で大きく変動する。
【０１０１】
副電源９２の第３の二次巻線Ｌ９２２に発生する電圧ｅ１３はダイオードＤ９２２で整流され、コンデンサＣ９２２の両端には電圧Ｅ１３が発生する。この電圧Ｅ１３は第２の整流部９１３の出力する電圧Ｅ１２に重畳されるので、コンデンサＣ９２２の高電位側の電圧、すなわち第３の整流部９２２から出力される電圧は電圧（Ｅ１２＋Ｅ１３）となる。
【０１０２】
副電源用スイッチング制御部Ｓ９２は、この電圧（Ｅ１２＋Ｅ１３）が１５（Ｖ）となるようにスイッチング素子Ｑ９２を制御する。こうしてＡＶ信号供給部５０へ電圧１５（Ｖ）の安定した電力Ｐ３が供給される。また音声出力部７０へも電圧１５（Ｖ）の安定した電力Ｐ２が供給される。
【０１０３】
このように実施の形態２においては電圧（Ｅ１２＋Ｅ１３）が電圧１５（Ｖ）となるように制御されている。そのため、電圧Ｅ１２が８（Ｖ）程度であれば電圧Ｅ１３は７（Ｖ）程度の電圧となり、電圧Ｅ１２が１０（Ｖ）程度であれば電圧Ｅ１３は５（Ｖ）程度の電圧となっている。上述したように第４の二次巻線Ｌ９２３の巻数は第３の二次巻線Ｌ９２２の２倍に設定されているため、第４の二次巻線Ｌ８２３に発生する電圧ｅ１４は電圧ｅ１４＜電圧（Ｅ１２＋ｅ１３）となる。そのため電力Ｐ２、Ｐ３およびＰ４は第２の二次巻線Ｌ９１３および第３の二次巻線Ｌ９２２から主に供給され、第４の二次巻線Ｌ９２３からはほとんど供給されない。
【０１０４】
実施の形態２においては、映像表示部６０へ電圧２００（Ｖ）、平均電流０．５（Ａ）を供給するため、第１の二次巻線Ｌ９１２が供給する電力Ｐ１はおよそ１００（Ｗ）である。また電力Ｐ２の平均電流は２（Ａ）であり、電力Ｐ３の平均電流は２（Ａ）であり、その合計は４（Ａ）である。したがって電圧Ｅ１２を８（Ｖ）程度とすると、第２の二次巻線Ｌ９１３から供給される電力はおよそ３２（Ｗ）である。そして残りの電力２８（Ｗ）のほとんどは第３の二次巻線Ｌ９２２から供給される。
【０１０５】
このように映像表示状態においては、主電源９１からおよそ１３２（Ｗ）の電力が供給され、副電源９２からおよそ２８（Ｗ）の電力が供給される。
【０１０６】
なお、電力制御部８３へはＡＶＲ用の集積回路ＩＣ９２を用いて電圧が５（Ｖ）の電力Ｐ４を供給するが、電流はわずかであるので電力Ｐ４も微小である。
【０１０７】
（待機録画状態）
待機録画状態では、本体電源スイッチ８４をオンにして副電源９２を動作させる。またＡＶ信号供給部スイッチ８７をオンにしてＡＶ信号供給部５０に電力Ｐ３を供給する。しかし主電源スイッチ８５をオフにして主電源９１を動作させない。また音声出力部スイッチ８６をオフにして音声出力部７０に電力Ｐ２を供給しない。
【０１０８】
図１０は、本発明の実施の形態２におけるプラズマディスプレイ装置４１が待機録画状態のときの電源回路９０の動作を説明する図である。なお図１０でも、コンデンサの保護用ダイオードであるダイオードＤ９９１、ダイオードＤ９９２は省略した。主電源９１が動作しないので、第１の二次巻線Ｌ９１２および第２の二次巻線Ｌ９１３には電圧が発生しない。すなわち電圧ｅ１１および電圧ｅ１２は電圧０（Ｖ）となり、電圧Ｅ１２も電圧０（Ｖ）となる。
【０１０９】
副電源９２の第３の二次巻線Ｌ９２２には電圧ｅ１３が発生し、第４の二次巻線Ｌ９２３には電圧ｅ１３の２倍程度の電圧ｅ１４が発生する。このとき電圧Ｅ１２が電圧０（Ｖ）であるため電圧ｅ１４＞電圧（Ｅ１２＋ｅ１３）となる。したがって第４の二次巻線Ｌ９２３に発生する電圧ｅ１４がダイオードＤ９２３で整流されコンデンサＣ９２２で平滑されて、第３の整流部９２３からは電圧Ｅ１４が出力される。副電源用スイッチング制御部Ｓ９２は、この電圧Ｅ１４が１５（Ｖ）となるようにスイッチング素子Ｑ９２を制御する。こうして、ＡＶ信号供給部５０へ電圧１５（Ｖ）の安定した電力Ｐ３が供給される。
【０１１０】
このように待機録画状態においては、副電源９２からおよそ３０（Ｗ）の電力が供給される。
【０１１１】
なお、電力制御部８３へはＡＶＲ用の集積回路ＩＣ８２を用いて電圧が５（Ｖ）の電力Ｐ４を供給するが、電流はわずかであるので電力Ｐ４も微小である。
【０１１２】
（スタンバイ状態）
スタンバイ状態では、本体電源スイッチ８４をオンにして副電源９２を動作させる。しかし主電源スイッチ８５をオフにして主電源９１を動作させない。またＡＶ信号供給部スイッチ８７をオフ、音声出力部スイッチ８６をオフにしてＡＶ信号供給部５０および音声出力部７０に電力を供給しない。
【０１１３】
このとき副電源９２の第４の二次巻線Ｌ９２３に発生する電圧ｅ１４がダイオードＤ９２３で整流されコンデンサＣ９２２で平滑されて、第３の整流部９２２からは電圧Ｅ１４が出力される。副電源用スイッチング制御部Ｓ９２は、この電圧Ｅ１４が１５（Ｖ）となるようにスイッチング素子Ｑ９２を制御する。そして電力制御部８３へはＡＶＲ用の集積回路ＩＣ８２を用いて電圧が５（Ｖ）の電力Ｐ４を供給するが、電流はわずかであるので電力Ｐ４も微小である。
【０１１４】
以上のように実施の形態２においては、映像表示状態では、主電源９１は１００（Ｗ）の電力Ｐ１をＳＷＲで安定化して映像表示部６０へ供給するとともに、６０（Ｗ）の電力（Ｐ２＋Ｐ３）のうちの約半分である３２（Ｗ）を供給する。副電源９２は、６０（Ｗ）の電力（Ｐ２＋Ｐ３）のうちの残りの約半分の２８（Ｗ）を供給する。また電力（Ｐ２＋Ｐ３）をＳＷＲで安定化して音声出力部７０およびＡＶ信号供給部５０へ供給する。このように主電源９１からおよそ１３２（Ｗ）の電力が供給され、副電源９２からおよそ２８（Ｗ）の電力が供給される。
【０１１５】
また待機録画状態では、副電源９２のみが動作して、３０（Ｗ）の電力Ｐ３をＳＷＲで安定化してＡＶ信号供給部５０へ供給する。このように副電源９２から映像表示状態とほぼ同様の電力が供給される。
【０１１６】
したがって実施の形態２における電源回路９０も実施の形態１における電源回路８０と同様に、副電源９２から供給される電力は、映像表示状態および待機録画状態のいずれであっても３０（Ｗ）程度である。そのため電力ロスの大きいＡＶＲを用いることなく副電源９２を小型化することができる。このように、電力効率の向上と小型化とをともに実現した電源回路９０を用いたプラズマディスプレイ装置４１を提供することが可能となる。
【０１１７】
さらに実施の形態２における電源回路９０は、主電源９１を動作させた場合に主電源９１の第２の二次巻線Ｌ９１３から出力される電圧Ｅ１２が、副電源９２の第４の二次巻線Ｌ９２３から出力される電圧Ｅ１４より大きくなるように設定されている。そのため映像表示状態では電圧（Ｅ１２＋Ｅ１３）の電力が供給され、待機録画状態では電圧Ｅ１４の電力が供給される。このように主電源スイッチ８５のオン・オフで切り替えることで、主電源９１と副電源９２との電力の分担を切り替えることができる。
【０１１８】
なお実施の形態１、２において用いた具体的な各数値は、単に一例を挙げたに過ぎず、プラズマディスプレイ装置の仕様等に合わせて、適宜最適な値に設定することが望ましい。
【産業上の利用可能性】
【０１１９】
本発明の電源回路は、電力効率の向上と小型化とをともに実現でき、交流面放電型のプラズマディスプレイ装置等の映像表示装置を提供する上で有用である。
【符号の説明】
【０１２０】
１０    パネル
２０    前面板
２１    前面基板
２２    走査電極
２３    維持電極
２４    表示電極対
２５，３３    誘電体層
２６    保護膜
３０    背面板
３１    背面基板
３２    データ電極
３４    隔壁
３５    蛍光体層
４０，４１    プラズマディスプレイ装置
５０    ＡＶ信号供給部
５１    チューナ
５２    記憶再生部
５３    信号分離部
６０    映像表示部
６１    映像信号処理回路
６２    タイミング発生回路
６３    データ電極駆動回路
６４    走査電極駆動回路
６５    維持電極駆動回路
７０    音声出力部
７１    音声増幅回路
７２    スピーカ
８０，９０，２００，３００    電源回路
８１，９１，２０１，３０１    主電源
８２，９２，２０２，３０２    副電源
８３    電力制御部
８３ａ    受光部
８３ｂ    リモコン
８４    本体電源スイッチ
８５    主電源スイッチ
８６    音声出力部スイッチ
８７    ＡＶ信号供給部スイッチ
１００    商用交流電源
【図１】
2012022167.tif 000003
【図２】
2012022167.tif 000004
【図３】
2012022167.tif 000005
【図４】
2012022167.tif 000006
【図５】
2012022167.tif 000007
【図６】
2012022167.tif 000008
【図７】
2012022167.tif 000009
【図８】
2012022167.tif 000010
【図９】
2012022167.tif 000011
【図１０】
2012022167.tif 000012
【図１１】
2012022167.tif 000013
【図１２】
2012022167.tif 000014